(57)【要約】【課題】外部の端末から容易に情報を受信できて内容を表示することができ、しかも消費電力を削減可能な電子タグ、電子タグの制御方法及び電子タグの制御プログラムを提供すること。【解決手段】一例の電子タグは、モバイル端末とデータの送受信を行う送受信部と、この送受信部により受信した医療データを記憶するデータ記憶部と、前記モバイル端末の近接によりその磁界を検知する磁界検知部と、この磁界検知部により磁界を検知したとき、前記送受信部及び前記データ記憶部をアクティブにするＣＰＵと、前記データ記憶部に記憶された医療データを電源オフ時に記憶表示機能のある電子ペーパとして表示する電子ペーパ表示部と、を有する。【選択図】図１
2015096996.tif 000002
【特許請求の範囲】
【請求項１】
モバイル端末とデータの送受信を行う送受信部と、
この送受信部により受信した医療データを記憶するデータ記憶部と、
前記モバイル端末の近接によりその磁界を検知する磁界検知部と、
この磁界検知部により磁界を検知したとき、前記送受信部及び前記データ記憶部をアクティブにするＣＰＵと、
前記データ記憶部に記憶された医療データを電源オフ時に記憶表示機能のある電子ペーパとして表示する電子ペーパ表示部と、
を有することを特徴とする電子タグ。
【請求項２】
前記送受信部は前記モバイル端末と近距離無線通信によりデータの送受信を行うことを特徴とする請求項１記載の電子タグ。
【請求項３】
前記電子ペーパ表示部は、表示要求があったときアクティブとなり前記データ記憶部に記憶されていたデータを表示することを特徴とする請求項１又は２記載の電子タグ。
【請求項４】
前記データ記憶部は、まえもってデータが記憶された読み出し専用の記憶部と、書き込み可能な記憶部とを有することを特徴とする請求項１ないし３のいずれかに記載の電子タグ。
【請求項５】
前記書き込み可能な記憶部は、電源オフ時に記憶内容を保持しないランダムアクセスメモリと、電源オフ時に記憶内容を保持する不揮発性メモリを有することを特徴とする請求項４記載の電子タグ。
【請求項６】
モバイル端末と近距離無線通信によりデータの送受信を行う送受信部と、
この送受信部により受信した医療データを記憶するデータ記憶部と、
前記モバイル端末の近接によりその磁界を検知する磁界検知部と、
この磁界検知部により磁界を検知したとき、前記送受信部及び前記データ記憶部をアクティブにするＣＰＵと、
前記データ記憶部に記憶された医療データを電源オフ時に記憶表示機能のある電子ペーパとして表示する電子ペーパ表示部と、
トリアージカテゴリを表示するトリアージカテゴリ表示部と、
位置を検知する位置検知センサ、加速度センサで構成されるセンサ部と、
無線ＬＡＮ又はブルートゥースで構成される通信部と、
を有することを特徴とする電子タグ。
【請求項７】
モバイル端末が近接するとその磁界を検知し、
磁界を検知したとき、前記モバイル端末と近距離無線通信によりデータの送受信を行う送受信部及びこの送受信部により受信した医療データを記憶するデータ記憶部をアクティブにし、
表示要求があったとき、アクティブとなり前記データ記憶部に記憶された医療データを電源オフ時に記憶表示機能のある電子ペーパとして表示する
ことを特徴とする電子タグの制御方法。
【請求項８】
モバイル端末が近接するとその磁界を検知し、
磁界を検知したとき、前記モバイル端末と近距離無線通信によりデータの送受信を行う送受信部及びこの送受信部により受信した医療データを記憶するデータ記憶部をアクティブにし、
表示要求があったとき、アクティブとなり前記データ記憶部に記憶された医療データを電源オフ時に記憶表示機能のある電子ペーパとして表示する
ことをコンピュータに実行させることを特徴とする電子タグの制御プログラム。
【発明の詳細な説明】
【技術分野】
【０００１】
本発明の実施形態は、表示部を有する電子タグ、電子タグの制御方法及び電子タグの制御プログラムに関する。
【背景技術】
【０００２】
電子ペーパを有する表示部を備えた電子タグ（無線タグ）は、従来から知られている。可搬性の電子タグでは、通常、電源から切り離されているから、電力をできるだけ節約することは必要である。
【０００３】
この省電力の為に電子タグは通常、節電状態にしておくことが好ましい。しかし、通常節電状態にしておき、情報を送るなどの度毎に活性化することは煩雑であり、操作性が悪くなる。
【先行技術文献】
【特許文献】
【０００４】
【特許文献１】特開２０１０−２１８２５６号公報
【特許文献２】特開２００９−２０５２５０号公報
【発明の概要】
【発明が解決しようとする課題】
【０００５】
この発明の課題は、外部の端末から容易に情報を受信できて内容を表示することができ、しかも消費電力を削減可能な電子タグ、電子タグの制御方法及び電子タグの制御プログラムを提供することである。
【課題を解決するための手段】
【０００６】
この発明の一例の電子タグは、モバイル端末とデータの送受信を行う送受信部と、この送受信部により受信した医療データを記憶するデータ記憶部と、前記モバイル端末の近接によりその磁界を検知する磁界検知部と、この磁界検知部により磁界を検知したとき、前記送受信部及び前記データ記憶部をアクティブにするＣＰＵと、前記データ記憶部に記憶された医療データを電源オフ時に記憶表示機能のある電子ペーパとして表示する電子ペーパ表示部と、を有する。
【図面の簡単な説明】
【０００７】
【図１】第１の実施形態に係る構成例を示す図である。
【図２】第１の実施形態のタグ本体部のハード的な構成例を示す図である。
【図３】第１の実施形態の電子タグがモバイル端末とデータ送受信を行うときの動作を説明する為のフローチャートを示す図である。
【図４】第１の実施形態の電子タグの表示の動作を説明する為のフローチャートを示す図である。
【図５】第２の実施形態に係る構成例を示す図である。
【図６】第２の実施形態のタグ本体部のハード的な構成例を示す図である。
【発明を実施するための形態】
【０００８】
以下、本発明の実施の形態について、図面を用いて説明する。
【０００９】
＜第１の実施形態＞
第１の実施形態の電子タグの構成例を図１に示す。図１において、この電子タグ１０は、無線モジュール部１１と、タグ本体部１２とから成り、無線モジュール部１１は、スマートフォン等のモバイル端末８が近づいたときその磁界を検知する磁界検知部１１ａと、モバイル端末８等とデータの送受信を行うデータ送受信部１１ｂとから成る。この実施形態で電子タグ１０は、医療用の電子トリアージに用いられる場合について説明する。
【００１０】
タグ本体部１２は、データ送受信部で受信したデータ等を記憶するデータ記憶部１３と、トリアージのカテゴリを表示するトリアージカテゴリ表示部１５と、受信したデータを表示する電子ペーパ表示部１６と、この電子ペーパ表示部１６の表示を制御する表示制御部１７と、表示を指示する表示ボタン１７ｂと、データ等の演算処理を行うと共にこれら各部を制御するＣＰＵ１９とを備える。電子ペーパ表示部１６は、電源オフ時にも内容を記憶して表示する記憶表示機能を有する表示部である。
【００１１】
データ記憶部１３は、書き込みが不可で読み出しのみ行うことができる読出し専用記憶部１３ａと、書き込みも可能な書込み可能記憶部１３ｂと、を有する。
【００１２】
無線モジュール部１１の磁界検知部１１ａはモバイル端末８等が近くに来てその磁界を検知すると、制御信号である磁界検知信号をＣＰＵ１９に送る。この検知信号を受信するとＣＰＵ１９は、データ送受信部１１ｂ、データ記憶部１３、表示制御部１７及び電子ペーパ表示部１６をアクティブにする。
【００１３】
また、磁界検知部１１ａが今まで検知していた磁界を検知しなくなると、その旨の磁界非検知信号をＣＰＵ１９に送り、ＣＰＵ１９はこの制御信号を受けると、データ送受信部１１ｂ、データ記憶部１３を休止（スタンバイ）状態に変更する。
【００１４】
無線モジュール部１１内のデータ送受信部１１ｂは、アクティブになるとモバイル端末８と、データの送受信を行う。データ送受信部１１ｂにおいて受信されたデータはデータ記憶部１３に記憶される。スタンバイ状態は、各部への電源供給を停止して機能を停止する状態であり、アクティブ状態は、各部が電源供給を受けて普通に動作している状態である。通常、各部をスタンバイ状態にしておくのは、電力を節約する等のためである。
【００１５】
タグ本体部１２のハードウェア的な構成例を図２に示す。図１と同じ部位は同じ番号、符号で示す。図１に示すデータ記憶部１３は図２の不揮発メモリ２２に対応する。不揮発性メモリ２２の内部領域を２つに分け、読出し専用記憶部１３ａと書込み可能記憶部１３ｂとしている。
【００１６】
ＲＡＭ２１はデータを一時的に記憶する、記憶速度は速いが電源オフ時にはデータを記憶できないメモリである。不揮発性メモリ２２は、ＲＡＭ２１に比して記憶速度は遅いが電源オフ時にもデータを保持できるメモリである。不揮発性メモリ２２には例えば目的別に、表示用エリア、トリアージカテゴリーエリア、写真保管用エリア、診療録エリアなどと分けて、データを記憶させる。ＲＯＭ２３ａは電子タグ１０の制御プログラムを保存しておく、電源オフ時にもデータを保持できるメモリである。
【００１７】
図２の電子ペーパ表示部１６、表示制御部１７、表示ボタン１７ｂ、ＣＰＵ１９は図１の各部と同じである。表示ボタン１７ｂはタグの内容の表示及び終了を指示するボタンであり、操作者により押される。表示ボタン１７ｂが押されると、ＣＰＵ１９は、表示要求があったことを検知し、表示制御部１７に電子ペーパ表示部１６の表示を開始するよう指示する。
【００１８】
トリアージカテゴリ表示部１５には、表示されるトリアージがカテゴリをＬＥＤ等によりカラー表示するものである。例えば赤、黄、緑ほかでカラー表示する。
【００１９】
電子ペーパ表示部１６は医療データを表示する部位であり、電源が切れても表示を継続する電子ペーパである。表示制御部１７は、この電子ペーパ表示部１６のデータを外部から受けて表示の制御を行う。これらの制御も全体としてはＣＰＵ１９が行う。
【００２０】
次に、外部端末からデータを受け取る時のこの実施形態の動作を図３に示すフローチャートに基づいて説明する。電子タグ１０は、アクトＡ３０１に示すように通常は、スタンバイ（休止）状態にある。このスタンバイ状態において、電子タグ１０の磁界検知部１１ａは磁界を検知したか、をチェックする。モバイル端末８２が近づくと、磁界検知部１１ａはその磁界を検知する。
【００２１】
アクトＡ３０２で磁界を検知すると、アクトＡ３０３に移り磁界検知部１１ａはＣＰＵ１９に磁界検知信号を送る。この磁界検知信号を受信したＣＰＵ１９は、アクトＡ３０４で割り込み信号を発し、データ送受信部１１ｂ、読出し専用記憶部１３ａ、書き込み可能記憶部１３ｂをアクティブにする。
【００２２】
次にアクトＡ３０５で、データ送受信部１１ｂは近づいてきたモバイル端末８とデータの送受信を行う。モバイル端末８とデータ送受信部１１ｂとの通信は、例えばＩＳＯ／ＩＥＣ１８０９２を用いて行われる。
【００２３】
モバイル端末８から受信したデータはデータ記憶部１３の書込み可能記憶部１３ｂに記憶する。具体的には、図２のＲＡＭ２１に一旦記憶され、ＣＰＵ１９内の演算部で処理された後、不揮発性メモリ２２に記憶される（Ａ３０６）。
【００２４】
モバイル端末８と送受信するデータは、患者ＩＤ，更新日時、最終判定結果や、氏名、顔写真、年齢、性別、連絡先等の個人情報、その他ＳＴＡＲＴ法、ＰＡＴ法、バイタル情報等の評価区分、評価のための各データ、レントゲン、ＣＴ、血液ガス等の検査データ、傷病の部位、判定結果、傷病名、診療記録、投薬情報等の診療録、などの医療データである。これらのデータは、電源オフ時にもデータ記憶される不揮発性メモリ２２の予め定められたエリアに各々記憶される。
【００２５】
次のアクトＡ３０７でデータの送受信が完了したか否か調べられ、まだ完了していないときには、アクトＡ３０５に戻ってモバイル端末８とデータの送受信を継続する。
【００２６】
データ送受信部１１ｂにおけるモバイル端末８とのデータの送受信が完了したことがＣＰＵ１９により検知されると、アクトＡ３０８で磁界検知部１１ａにおいて磁界を検知しなくなったかを調べる。アクトＡ３０８で磁界を検知しなくなったことが検知されると、次のアクトＡ３０９で、磁界検知部１１ａはＣＰＵ１９に磁界非検知信号を送信する。
【００２７】
この磁界非検知信号を受信したＣＰＵ１９は、アクトＡ３０１に移行し、データ送受信部１１ｂ、記憶部１３をスタンバイ状態に戻す。
【００２８】
次に、この電子タグ１０により医療データなどが表示されるときの動作を図４に示すフローチャートに基づいて説明する。
【００２９】
まず、上述のように電子タグ１０は通常スタンバイ状態にある（Ａ４１０）。そして、アクトＡ４０２でＣＰＵ１９は表示ボタン１７ｂが押されたかどうかを検知する。表示ボタン１７ｂが押されたことをＣＰＵ１９が検知すると、アクトＡ４０３で、ＣＰＵ１９は表示制御部１７及び電子ペーパ表示部１６をアクティブにする。
【００３０】
次のアクトＡ４０４では、ＣＰＵ１９の制御の下に表示制御部１７は記憶部１３の不揮発性メモリ２２に記憶されているデータを電子ペーパ表示部１６に送信する。
【００３１】
アクトＡ４０５で、電子ペーパ表示部１６はその表示面上に、表示データを図として表示する。ここで電子ペーパ表示部１６に表示されるのは、例えばトリアージとしてのデータ値及びその評価結果である。この表示状態では、表示制御部１７及び表示部１６は、電力を節約した状態である。
【００３２】
表示部１６の周囲に種々のボタンなどを有し、これらを操作することにより操作内容の制御などを行うことができる。その詳細はここでは省略するが従来と同様に行うことができる。
【００３３】
アクトＡ４０６で表示ボタン１７ｂが再度、押されたことを検知すると、表示制御部１７はアクティブになり、表示部１６の表示内容を消去する。そして次のアクトＡ４０８で表示部１６を消灯して、全部がスタンバイのアクトＡ４０１に戻る。
【００３４】
＜第２の実施形態＞
次に本発明の第２の実施形態について説明する。第１の実施形態と同じ部分は同一の番号を用いる。この実施形態では、タグ本体部１２に更に、センサ部１８と通信部２０を有する。
【００３５】
センサ部１８には、加速度センサや、位置検知センサ等を有する。通信部２０は、無線ＬＡＮ、ブルートゥース等を有し、外部との通信を行う。
【００３６】
図５に全体構成を示す第２の実施形態においても、電子タグ１０は、無線モジュール部１１と、タグ本体部１２とから成り、無線モジュール部１１は、スマートフォン等のモバイル端末８が近づいたときその磁界を検知する磁界検知部１１ａと、モバイル端末８等とデータの送受信を行うデータ送受信部１１ｂとから成る。
【００３７】
また、タグ本体部１２は、データ送受信部で受信したデータ等を記憶するデータ記憶部１３と、トリアージのカテゴリを表示するトリアージカテゴリ表示部１５と、受信したデータを表示する電子ペーパ表示部１６と、この電子ペーパ表示部１６の表示を制御する表示制御部１７と、表示を指示する表示ボタン１７ｂと、センサ部１８と、通信部２０と、データ等の演算処理を行うと共にこれら各部を制御するＣＰＵ１９とを備える。
【００３８】
また、図５に示すタグ本体部１２のハードウェア的な構成例を図６に示す。図５と同じ部位は同じ番号、符号で示す。図５に示すデータ記憶部１３は図６の不揮発性メモリ２２に対応する。不揮発性メモリ２２の内部領域を２つに分け、読出し専用記憶部１３ａと書き込み可能記憶部１３ｂとしている。書込み可能記憶部１３ｂは、ＲＡＭ（ランダムアクセスメモリ）２１と、不揮発性メモリ２２に対応する。ＲＡＭ２１はデータを一時的に記憶する、記憶速度は速いが電源オフ時にはデータを記憶できないメモリである。
【００３９】
不揮発性メモリ２２は、ＲＡＭ２１に比して記憶速度は遅いが電源オフ時にもデータを保持できるメモリである。不揮発性メモリ２２には例えば目的別に、表示用エリア、トリアージカテゴリーエリア、写真保管用エリア、診療録エリアなどと分けて、データを記憶させる。図６に示すタグ本体部１２は、センサ部１８及び通信部２０も有する。ＲＯＭ２３ａは電子タグ１０の制御プログラムを保存しておく電源オフ時もデータを保持できるメモリである。
【００４０】
無線モジュール部１１は、モバイル端末８例えば、ＩＳＯ／ＩＥＣ１８０９２を利用して無線モジュール部１１におデータ送受信部１１ｂと近距離通信を行い、傷病者の情報、傷病の内容などの医療データを送信し、書き込み可能記憶部１３ｂに記憶させる。記憶されたデータの内容は指示に応じて読み出し、電子ペーパ表示部１６の画面上に表示させる。トリアージカテゴリ表示部１５は、トリアージカテゴリをＬＥＤ等のよりカラー表示するものである。例えば赤、黄、緑などでカラー表示する。
【００４１】
ＣＰＵ１９が制御して通信部２０は、例えばブルートゥースや無線ＬＡＮにより通信を行う。通信部２０はブルートゥース機能により生体センサの情報をこの無線タグに取り込む。ＣＰＵ１９は通信部２０を制御して、無線ＬＡＮによって外部の管理サーバと通信を行わせ、ブルートゥースや、センサ部１８の各種センサにより取得した医療データ等を管理サーバに送信する。管理サーバは電子タグから送信されてきた位置情報や生体情報などの医療情報のデータを受信し記憶し各種のデータを電子タグに送信するサーバである。
【００４２】
センサ部１８に有する加速度センサは、この電子タグ１０を装着した患者の動き、例えば活動の有無、転倒の有無等を検知する。位置検知センサは、例えばＧＰＳ装置であり、電子タグ１０を装着している患者の場所（位置）を検知する。検知された患者の位置情報は、例えば上記通信２０から外部の管理サーバに送信される。
【００４３】
この第２の実施形態においてモバイル端末が近づけられた時の動作は、図３を用いて説明された第１の実施形態の場合と同様である。通信部２０における各種の通信はＣＰＵ１９が制御する。
【００４４】
この第２の実施形態によれば、センサ部において得られた生体情報や、場所（位置）情報を外部の管理サーバに送信できる利点がある。
【００４５】
なお、上述の第１、第２の実施形態の電子タグは通常、磁界検知部以外はスタンバイ状態にあり、モバイル端末などが近づいてきたときにその磁界を検知してデータの送受信系及びデータ記憶、処理系がアクティブになってデータの送受信、データ記憶、処理を行う。そして、磁界を検知しなくなったら再び、磁界検知部のみ動作するスタンバイ状態に戻る。スタンバイ状態では、磁界検知部のみ動作しているから消費電力を節約できる。
【００４６】
また、この実施形態では、表示部が電子ペーパにより構成されており、表示部の電源がオフになっても内容を表示する。したがって、表示ボタンの押下など、操作者から要求のあったときにのみ、表示系をアクティブにして医療データ、図形などを表示する。それ以外の時間には表示系をスタンバイ状態にして消費電力を節約することができる。
【００４７】
上記無線タグの使い方として、無線タグにおいて各患者の個人情報とＳＴＡＲＴ法、ＰＡＴ法、バイタルサインの各判定のためのデータを採取し、モバイル端末に送信してホストコンピュータなどで計算処理し、その判定結果をモバイル端末から送信して、この無線タグの表示部に表示することが考えられる。この場合には、無線タグに他にも患者に生体情報等を検知するセンサを複数設けて自動的に必要な情報を収集する。そして、モバイル端末がこの無線タグに近づいたときに、このモバイル端末に患者の生体情報を送信することができる。
【００４８】
本発明は方法やプログラムとしても実施することが可能である。この場合には、モバイル端末が近接するとその磁界を検知し、磁界を検知したとき、前記モバイル端末と近距離無線通信によりデータの送受信を行う送受信部及びこの送受信部により受信した医療データを記憶するデータ記憶部をアクティブにし、表示要求があったとき、アクティブとなり前記データ記憶部に記憶された医療データを電源オフ時に記憶表示機能のある電子ペーパとして表示する。
【００４９】
上記実施形態によれば、トリアージの結果を記憶しそれらの内容を表示できる電子タグが得られる。
【００５０】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１０・・・・電子タグ
１１・・・・無線モジュール部
１１ａ・・・・磁界検知部
１１ｂ・・・・データ送受信部
１２・・・・タグ本体部
１３・・・・データ記憶部
１３ａ・・・・読出し専用記憶部
１３ｂ・・・・書込み可能記憶部
１５・・・・トリアージカテゴリ表示部
１６・・・・電子ペーパ表示部
１７・・・・表示制御部
１７ｂ・・・・表示ボタン
１８・・・・センサ部
１９・・・・ＣＰＵ
２０・・・・通信部
２１・・・・ＲＡＭ
２２・・・・不揮発性メモリ
２３ａ・・・・ＲＯＭ
【図１】
2015096996.tif 000003
【図２】
2015096996.tif 000004
【図３】
2015096996.tif 000005
【図４】
2015096996.tif 000006
【図５】
2015096996.tif 000007
【図６】
2015096996.tif 000008